(57)【要約】【課題】受信を希望しない相手への対処に要する無駄の発生を軽減できるようにする。【解決手段】ファクシミリ装置２０５は、受信処理において相手電話番号と拒否リストＬＲ３に登録された拒否電話番号との照合処理を順次行い、画データの受信開始後に相手電話番号が拒否電話番号であることが判明した場合に、直ちに回線接続を切断すると共に、拒否リストＬＲ３に当該拒否電話番号と対応付けて優先情報を登録するようにした。これによりファクシミリ装置２０５は、次回以降の受信処理において、優先情報が登録された拒否電話番号から優先的に照合処理を行うことで、画データの受信開始前に相手電話番号が拒否電話番号であることを検知できる可能性を高めることができ、結果的に、不要な内容の画データを無駄に印刷することによる用紙等の無駄を回避できると共に、リダイヤルも考慮した総合的な観点から、電話回線３の無駄な占有時間を短縮できる。【選択図】図１２
2015126263.tif 000002
【特許請求の範囲】
【請求項１】
固有の識別番号がそれぞれ割り当てられた回線端末からの接続要求に応じて他の回線端末と回線接続させる回線交換網との間で通信処理を行い、回線接続後に所定の準備処理を経た後に画データを受信する回線通信部と、
前記回線通信部により前記画データを受信する前に、当該回線通信部が回線接続された相手側の回線端末に割り当てられている前記識別番号である相手識別番号を取得する相手識別番号取得部と、
前記回線通信部を介して受信した前記画データを一時記憶する記憶部と、
前記記憶部に一時記憶された前記画データの内容を所定の媒体に反映させて利用者に認識させ得る状態とする媒体反映部と、
利用者が前記画データの受信を所望しない前記識別番号である複数の拒否識別番号と前記相手識別番号とを順次照合して得られる前記相手識別番号が前記拒否識別番号であるか否かを表す照合結果を基に、前記相手識別番号が前記拒否識別番号であることが前記回線通信部において前記画データの受信を開始する前に判明した場合には、前記回線通信部に回線接続を切断させ、前記相手識別番号が前記拒否識別番号であることが前記回線通信部において前記画データの受信を開始した後に判明した場合には、当該画データの受信完了後に前記媒体反映部による処理を保留させる制御部と
を具えることを特徴とする画データ受信装置。
【請求項２】
前記相手識別番号と複数の前記拒否識別番号とを順次照合して前記照合結果を生成する照合部
をさらに具え、
前記記憶部は、複数の前記拒否識別番号を記憶し、
前記制御部は、前記照合部による照合結果を取得する
ことを特徴とする請求項１に記載の画データ受信装置。
【請求項３】
前記記憶部は、複数の前記拒否識別番号を所定の照合順序に並び替えると共に、前記拒否識別番号が割り当てられた回線端末から接続され若しくは接続要求された回数を当該拒否識別番号と対応付けて記憶し、
前記照合部は、前記照合順序に従って前記相手識別番号と前記拒否識別番号とを順次照合し、
前記制御部は、前記照合部において前記相手識別番号が前記拒否識別番号であることが判明した場合、前記記憶部において当該拒否識別番号と対応付けて記憶している回数を更新すると共に、当該回数に応じて前記照合順序を更新させる
ことを特徴とする請求項２に記載の画データ受信装置。
【請求項４】
外部の情報処理装置との間で情報を送受信する情報通信部
をさらに具え、
前記情報処理装置は、複数の前記拒否識別番号を記憶し、
前記制御部は、前記情報通信部を介して前記情報処理装置へ前記相手識別番号及び照合要求を送出することにより、前記情報処理装置において前記相手識別番号を複数の前記拒否識別番号と順次照合させ、前記情報通信部を介して前記情報処理装置から前記照合結果を取得する
ことを特徴とする請求項１に記載の画データ受信装置。
【請求項５】
固有の識別番号がそれぞれ割り当てられた回線端末からの接続要求に応じて他の回線端末と回線接続させる回線交換網との間で通信処理を行い、回線接続後に所定の準備処理を経た後に画データを受信する回線通信部と、
前記回線通信部により前記画データを受信する前に、当該回線通信部が回線接続された相手側の回線端末に割り当てられている前記識別番号である相手識別番号を取得する相手識別番号取得部と、
利用者が前記画データの受信を所望しない相手方の前記識別番号である複数の拒否識別番号と、複数の当該拒否識別番号のうち優先的に取り扱うべき優先識別番号を特定する優先情報とを基に、前記優先情報により特定された前記拒否識別番号を優先させながら前記相手識別番号を複数の前記拒否識別番号と順次照合した照合結果を得て、前記相手識別番号が前記拒否識別番号であることが判明した場合、前記準備処理中又は前記画データの受信開始後に前記回線通信部により回線接続を切断させる制御部と
を具えることを特徴とする画データ受信装置。
【請求項６】
前記制御部は、前記相手識別番号が前記拒否識別番号であることが判明した場合、当該拒否識別番号を優先識別番号とするよう、前記優先情報を更新させる
ことを特徴とする請求項５に記載の画データ受信装置。
【請求項７】
前記制御部は、前記相手識別番号が前記拒否識別番号であることが判明したときを始期として所定の解除条件が満たされた際に、当該拒否識別番号を前記優先識別番号から解除するよう、前記優先情報を更新する
ことを特徴とする請求項６に記載の画データ受信装置。
【請求項８】
前記制御部は、前記始期から所定時間が経過したことを前記解除条件とする
ことを特徴とする請求項７に記載の画データ受信装置。
【請求項９】
前記制御部は、前記始期以降に前記回線通信部に対し他の回線端末から所定回数の接続要求を受けたことを前記解除条件とする
ことを特徴とする請求項７に記載の画データ受信装置。
【請求項１０】
前記優先情報は、複数の前記拒否識別番号のうち前記優先識別番号である前記拒否識別番号と対応付けて記憶され、当該拒否識別番号が前記優先識別番号であることを表す情報である
ことを特徴とする請求項５に記載の画データ受信装置。
【請求項１１】
前記優先情報は、前記優先識別番号の識別番号そのものである
ことを特徴とする請求項５に記載の画データ受信装置。
【請求項１２】
複数の前記拒否識別番号及び前記優先情報を記憶する記憶部と、
前記優先情報により特定された前記拒否識別番号を優先させながら、前記相手識別番号を複数の前記拒否識別番号と順次照合する照合部と
をさらに具え、
前記制御部は、前記照合部による照合結果を取得する
ことを特徴とする請求項５に記載の画データ受信装置。
【請求項１３】
外部の情報処理装置との間で情報を送受信する情報通信部
をさらに具え、
前記情報処理装置は、複数の前記拒否識別番号及び前記優先情報を記憶し、
前記制御部は、前記情報通信部を介して前記情報処理装置へ前記相手識別番号及び照合要求を送出することにより、前記情報処理装置において前記優先情報により特定された前記拒否識別番号を優先させながら前記相手識別番号を複数の前記拒否識別番号と順次照合させ、前記情報通信部を介して前記情報処理装置から照合結果を取得する
ことを特徴とする請求項５に記載の画データ受信装置。
【発明の詳細な説明】
【技術分野】
【０００１】
本発明は画データ受信装置に関し、例えば電話回線を介して画データを受信するファクシミリ装置に適用して好適なものである。
【背景技術】
【０００２】
一般にファクシミリ装置は、回線交換方式の電話回線網に接続されて使用される。この電話回線網では、各回線に対して固有の識別番号としての電話番号が割り当てられており、この電話番号によって相手方を特定することによりして回線を接続するようになっている。
【０００３】
ファクシミリ装置は、受信時の基本的な動作として、相手方のファクシミリ装置からの着信があった際に、該相手方のファクシミリ装置との間で回線を接続すると、通信速度の調整等の準備処理を経た上で、画データを受信した後、この画データに基づいた画像を用紙に印刷する。
【０００４】
ところでファクシミリ装置の利用者は、特定の相手方から送信される広告等の受信を拒否することにより、用紙の無駄な消費や電話回線の無駄な占有を回避したい場合がある。またファクシミリ装置は、電話回線網において用意された発信者番号通知による情報やファクシミリの通信プロトコルにおいて規定されているＴＳＩ（Transmitting Subscriber Identification：送信端末識別）信号等から、画データの通信を開始する前に相手方の電話番号を取得することができる。
【０００５】
そこでファクシミリ装置においては、受信を拒否したい相手方の電話番号を所定の拒否リストに予め登録しておき、取得した相手方の電話番号を拒否リストに登録された電話番号と照合し、一致した場合にはＤＣＮ（Disconnect：切断）信号を送信することにより、画データの送信前に回線を切断するものが提案されている（例えば、特許文献１参照）。
【先行技術文献】
【特許文献】
【０００６】
【特許文献１】特開平２−７１６６５号公報（第５図）
【発明の概要】
【発明が解決しようとする課題】
【０００７】
ところで、かかる構成のファクシミリ装置においては、多くの相手方から広告等が送信される場合に、拒否リストにこれらの多くの電話番号を登録しておきたいという要求がある。
【０００８】
このような要求に対し、ファクシミリ装置は、拒否リストの登録可能件数を増加することにより電話番号の登録件数を増加することができるものの、相手方の電話番号と該拒否リストに登録されている電話番号との照合処理に要する時間を増加させることになる。
【０００９】
このためファクシミリ装置は、この照合処理が終了する前に画データの受信処理を開始する可能性があり、これにより不要な広告等を受信することになるため、用紙や電話回線の占有時間等の無駄を回避できない、という問題があった。
【００１０】
本発明は以上の点を考慮してなされたもので、画データの受信を希望しない相手への対処に要する無駄の発生を軽減し得る画データ受信装置を提案しようとするものである。
【課題を解決するための手段】
【００１１】
かかる課題を解決するため本発明の画データ受信装置においては、固有の識別番号がそれぞれ割り当てられた回線端末からの接続要求に応じて他の回線端末と回線接続させる回線交換網との間で通信処理を行い、回線接続後に所定の準備処理を経た後に画データを受信する回線通信部と、回線通信部により画データを受信する前に、当該回線通信部が回線接続された相手側の回線端末に割り当てられている識別番号である相手識別番号を取得する相手識別番号取得部と、回線通信部を介して受信した画データを一時記憶する記憶部と、記憶部に一時記憶された画データの内容を所定の媒体に反映させて利用者に認識させ得る状態とする媒体反映部と、利用者が画データの受信を所望しない識別番号である複数の拒否識別番号と相手識別番号とを順次照合して得られる相手識別番号が拒否識別番号であるか否かを表す照合結果を基に、相手識別番号が拒否識別番号であることが回線通信部において画データの受信を開始する前に判明した場合には、回線通信部に回線接続を切断させ、相手識別番号が拒否識別番号であることが回線通信部において画データの受信を開始した後に判明した場合には、当該画データの受信完了後に媒体反映部による処理を保留させる制御部とを設けるようにした。
【００１２】
本発明は、画データの受信前に相手識別番号が拒否識別番号であることが判明した場合には、当該画データの受信前に回線接続を切断することにより回線の無駄な占有を回避でき、画データの受信後に相手識別番号が拒否識別番号であることが判明した場合には、当該画データの受信後にその内容を媒体に反映しないことにより当該媒体の無駄な消費を回避できる。
【００１３】
また本発明の画データ受信装置においては、固有の識別番号がそれぞれ割り当てられた回線端末からの接続要求に応じて他の回線端末と回線接続させる回線交換網との間で通信処理を行い、回線接続後に所定の準備処理を経た後に画データを受信する回線通信部と、回線通信部により画データを受信する前に、当該回線通信部が回線接続された相手側の回線端末に割り当てられている識別番号である相手識別番号を取得する相手識別番号取得部と、利用者が画データの受信を所望しない相手方の識別番号である複数の拒否識別番号と、複数の当該拒否識別番号のうち優先的に取り扱うべき優先識別番号を特定する優先情報とを基に、優先情報により特定された拒否識別番号を優先させながら相手識別番号を複数の拒否識別番号と順次照合した照合結果を得て、相手識別番号が拒否識別番号であることが判明した場合、準備処理中又は画データの受信開始後に回線通信部により回線接続を切断させる制御部とを設けるようにした。
【００１４】
本発明は、画データの受信後に相手識別番号が拒否識別番号であることが判明した場合に、相手識別番号を優先識別番号としておき、相手方から直ちに再度接続された際に優先的に照合することにより、当該画データの受信前に相手識別番号が拒否識別番号であることの照合結果を得て回線接続を切断し得る可能性を格段に高めることができる。
【発明の効果】
【００１５】
本発明によれば、画データの受信前に相手識別番号が拒否識別番号であることが判明した場合には、当該画データの受信前に回線接続を切断することにより回線の無駄な占有を回避できる。その一方で本発明は、画データの受信後に相手識別番号が拒否識別番号であることが判明した場合には、当該画データの受信後にその内容を媒体に反映しないことにより当該媒体の無駄な消費を回避でき、或いは相手識別番号を優先識別番号としておき、相手方から直ちに再度接続された際に優先的に照合することにより、当該画データの受信前に相手識別番号が拒否識別番号であることの照合結果を得て回線接続を切断し得る可能性を格段に高めることができる。かくして本発明は、受信を希望しない相手への対処に要する無駄の発生を軽減し得る画データ受信装置を実現できる。
【図面の簡単な説明】
【００１６】
【図１】第１の実施の形態によるファクシミリ通信システムの構成を示す略線図である。
【図２】第１の実施の形態によるファクシミリ装置の構成を示す略線的ブロック図である。
【図３】第１の実施の形態による拒否リストの構成を示す略線図である。
【図４】第１の実施の形態による受信処理手順を示すフローチャートである。
【図５】第２の実施の形態によるファクシミリ通信システムの構成を示す略線図である。
【図６】第２の実施の形態によるファクシミリ装置の構成を示す略線的ブロック図である。
【図７】情報処理装置の構成を示す略線的ブロック図である。
【図８】第２の実施の形態による拒否リストの構成を示す略線図である。
【図９】第２の実施の形態によるファクシミリ装置の受信処理手順を示すフローチャートである。
【図１０】第２の実施の形態による情報処理装置の照合処理手順を示すフローチャートである。
【図１１】第３の実施の形態による拒否リストの構成を示す略線図である。
【図１２】第３の実施の形態による受信処理手順を示すフローチャートである。
【発明を実施するための形態】
【００１７】
以下、発明を実施するための形態（以下実施の形態とする）について、図面を用いて説明する。
【００１８】
［１．第１の実施の形態］
［１−１．ファクシミリ通信システムの構成］
図１に示すように、本実施の形態によるファクシミリ通信システム１は、電話網２に対し複数の電話回線３が接続されており、各電話回線３にファクシミリ装置５や図示しない電話装置等がそれぞれ接続されている。
【００１９】
電話網２は、回線交換方式を採用しており、図示しない交換機を有すると共に、各電話回線３に固有の識別番号としての電話番号を割り当てている。因みに電話網２としては、例えば通信事業者等が一般加入者に回線を割り当てる公衆電話網や、大規模な企業等が事業所内等で各部署等に回線を割り当てるローカル電話網等がある。
【００２０】
この電話網２は、各電話回線３に接続されたファクシミリ装置５において、接続を所望する相手方の電話番号を指定させることにより、所望の相手方の電話回線３と回線接続させ、音声やデータ等を通信させるようになっている。
【００２１】
［１−２．ファクシミリ装置の構成］
ファクシミリ装置５は、一般的なファクシミリ装置と同様、電話網２を介して所望の相手方との間で画データの送受信を行うようになっている。
【００２２】
このファクシミリ装置５は、図２に模式的なブロック構成を示すように、制御部１０により全体を統括制御するようになっている。制御部１０は、図示しないＣＰＵ（Central Processing Unit）を中心に構成されており、図示しないＲＯＭやフラッシュメモリ等から所定のプログラムを読み出して実行することにより、種々の処理を行うようになっている。
【００２３】
この制御部１０には、バス１１を介して、操作パネル１２、表示部１３、読取部１４、記憶部１５、ファクシミリ通信部１６及び画像形成部１７の各部が接続されている。
【００２４】
操作パネル１２は、例えばスタートキーやカーソルキー、或いは「０」〜［９］の数字キー等のような操作キーを有しており、ファクシミリ装置５の利用者からの入力操作を受け付ける。表示部１３は、例えば液晶表示パネルでなり、文字や画像等によって情報を表示することにより、利用者に対し当該情報の内容を視認させる。
【００２５】
読取部１４は、いわゆるイメージスキャナと同様、光学センサや紙送り機構等を有しており、紙媒体でなる原稿を光学センサによって読み取ることにより、当該原稿上の情報を画データに変換する。記憶部１５は、例えばハードディスクドライブでなり、読取部１４により読み取られた画データや、ファクシミリ通信部１６において受信した画データを格納する。また記憶部１５は、例えば利用頻度の高い送信先の電話番号を所定の宛先リストに複数格納し得るようになっている。
【００２６】
ファクシミリ通信部１６は、いわゆるファックスモデムとしての機能を有しており、画データや手順信号等の変調処理、復調処理及び伝送処理を行うことにより、電話網２に接続された他のファクシミリ装置５の間で通信処理を行う。画像形成部１７は、いわゆるプリンタ装置と同様の機能を有しており、例えば感熱記録方式や電子写真方式等により画データに基づく画像を紙媒体に印刷する。
【００２７】
一方、制御部１０は、各種プログラムを実行することにより、表示制御部２１、読取制御部２２、画像処理制御部２３、ファクシミリ通信制御部２４、ジョブ制御部２５及びプリント制御部２６をそれぞれソフトウェア的に実現するようになっている。
【００２８】
表示制御部２１は、表示部１３を制御することにより、ファクシミリ装置５の利用者に対し、通信の状況や印刷用の紙媒体の残量のような各種情報を、文字や図形等を用いた視認し得る状態で提示する。読取制御部２２は、読取部１４を制御することにより、１枚又は２枚以上の用紙でなる原稿の読取処理を行う。
【００２９】
画像処理制御部２３は、読取部１４により読み取られた画データの符号化処理や、電話網２（図１）に接続された他のファクシミリ装置５からファクシミリ通信部１６を介して受信した画データの復号化処理等を行う。ファクシミリ通信制御部２４は、ファクシミリ通信部１６を制御することにより、電話網２に電話回線３を介して接続されている他のファクシミリ装置５との間でデータ等を通信（すなわち送信及び受信）する際の通信制御を行う。
【００３０】
ジョブ制御部２５は、ファクシミリ通信部１６において実行されるファクシミリ通信処理のジョブを管理する。プリント制御部２６は、画像形成部１７を制御することにより、ファクシミリ通信部１６により受信した画データを紙媒体に印刷する。
【００３１】
さらに記憶部１５には、拒否リストＬＲ１が予め記憶されている。図３に示すように、拒否リストＬＲ１には、ファクシミリの受信を所望しない相手先の電話番号（以下、これを拒否電話番号と呼ぶ）を、その相手方の名称と対応付けて格納し得るようになっている。
【００３２】
因みにファクシミリ装置５では、所定の登録操作により、過去に受信した履歴として保持している電話番号や任意に入力された電話番号等を拒否電話番号として拒否リストＬＲ１に登録し得るようになっている。
【００３３】
［１−３．送信処理］
ファクシミリ装置５は、例えば送信処理を行う場合、利用者に原稿を読取部１４にセットさせる。またファクシミリ装置５は、操作パネル１２から送信相手の電話番号を宛先リストから選択させ、或いは直接入力させることにより指示させた上で、スタートキーを押下させることにより、ファクシミリ送信処理の開始を指示させる。
【００３４】
これに応じて制御部１０の読取制御部２２は、読取部１４を制御することにより、原稿上の情報を画データに変換し、これを記憶部１５に一時的に記憶させる。
【００３５】
一方、ジョブ制御部２５は、他のファクシミリ装置５からの受信処理や他の送信処理といった他のジョブが行われていないことを確認した上で、相手方との通信処理の開始をファクシミリ通信制御部２４に指示する。
【００３６】
ファクシミリ通信制御部２４は、ファクシミリ通信部１６を制御することにより、まず電話回線３を介して電話網２に対し相手方の電話番号を通知して発呼処理を行い、相手方のファクシミリ装置５との間で回線接続させる。このときファクシミリ通信制御部２４は、まず準備処理として、ファクシミリのプロトコルに従って所定のネゴシエーション処理やトレーニング処理を行い、画データの送信処理を行い得る通信状態を確立する。
【００３７】
次にファクシミリ通信制御部２４は、記憶部１５に一時的に記憶している画データを順次読み出し、画像処理制御部２３により該画データを順次符号化させて、これをファクシミリ通信部１６へ供給させる。
【００３８】
ファクシミリ通信部１６は、符号化された状態の画データに対し変調処理を施すことにより、電話回線３及び電話網２を介して伝送し得る信号を生成し、これを電話回線３へ伝達する。これにより画データは、電話網２及び相手方の電話回線３を介して相手方のファクシミリ装置５へ送信される。
【００３９】
かくしてファクシミリ装置５は、原稿の画データを読み取った上で電話回線３及び電話網２を介して相手方のファクシミリ装置５へ送信することができる。
【００４０】
［１−４．受信処理］
一方、ファクシミリ装置５は、受信処理を行う際、相手方のファクシミリ装置５の電話番号（以下、これを相手電話番号と呼ぶ）が拒否リストＬＲ１（図３）に登録された拒否電話番号であった場合には、画データの受信処理や紙媒体への印刷処理を実行しないようになっている。
【００４１】
具体的に制御部１０のファクシミリ通信制御部２４は、電話網２から電話回線３を介して着呼が通知されると、図４に示す受信処理手順ＲＴ１を開始してステップＳＰ１へ移る。ステップＳＰ１においてファクシミリ通信制御部２４は、ファクシミリ通信部１６を制御して回線接続等の必要な処理を実行することにより、相手方のファクシミリ装置５からのファクシミリの受信処理を開始し、次のステップＳＰ２へ移る。
【００４２】
ステップＳＰ２においてファクシミリ通信制御部２４は、ファクシミリのプロトコルに従い、画データを送信する前の準備処理として、相手方のファクシミリ装置５との間で所定のネゴシエーション処理やトレーニング処理を開始し、画データの送受信を行い得るような通信状態の確立を図る。またこのときファクシミリ通信制御部２４は、受信したＴＳＩ信号から相手方の電話番号を抽出し、これを相手電話番号として記憶して、次のステップＳＰ３へ移る。
【００４３】
ステップＳＰ３においてファクシミリ通信制御部２４は、拒否リストＬＲ１（図３）に登録されている各電話番号（すなわち拒否電話番号）と相手電話番号との照合処理を開始し、次のステップＳＰ４へ移る。因みにファクシミリ通信制御部２４は、ファクシミリ通信部１６における準備処理と並行して、例えば拒否リストＬＲ１における先頭の（最上行の）電話番号から１件ずつ、照合処理を順次進めていく。
【００４４】
ステップＳＰ４においてファクシミリ通信制御部２４は、ファクシミリ通信部１６における準備処理が完了したか否かを判定する。ここで否定結果が得られると、ファクシミリ通信制御部２４はこのステップＳＰ４を繰り返すことにより、ファクシミリ通信部１６における準備処理の完了を待ち受ける。
【００４５】
一方、ステップＳＰ４において肯定結果が得られると、このことは準備処理が完了し、相手方からの画データの受信を開始すべき状態にあることを表しており、このときファクシミリ通信制御部２４は次のステップＳＰ５へ移る。
【００４６】
ステップＳＰ５においてファクシミリ通信制御部２４は、この時点までの照合処理において相手電話番号が拒否電話番号であることが判明したか否か、すなわち拒否リストＬＲ１に登録されていたか否かを判定する。ここで肯定結果が得られると、このことは画データの受信を開始する前に、ファクシミリ装置５の利用者が現在の相手方からの受信を希望していないことが判明したため、当該画データを受信すべきで無いことを表している。このときファクシミリ通信制御部２４は、次のステップＳＰ６へ移る。
【００４７】
ステップＳＰ６においてファクシミリ通信制御部２４は、ファクシミリ通信部１６を制御することにより、電話回線３を通じて電話網２に対しＤＣＮ（Disconnect）信号を送信して回線接続を切断させ、次のステップＳＰ１４へ移る。因みにこのときファクシミリ通信制御部２４は、残りの拒否電話番号についての照合処理が未完了であったとしても、これ以上照合処理を継続する必要が無いため、照合処理を中止する。
【００４８】
一方、ステップＳＰ５において否定結果が得られると、このことは少なくともこの時点において、ファクシミリ装置５の利用者が相手方からの受信を希望しているか否かが未確定であることを表している。このときファクシミリ通信制御部２４は、次のステップＳＰ７へ移る。
【００４９】
ステップＳＰ７においてファクシミリ通信制御部２４は、全ての照合処理が完了したか否か、すなわち相手電話番号を拒否リストＬＲ１（図３）に登録されている全ての拒否電話番号と照合し終えたか否かを判定する。ここで肯定結果が得られると、このことは相手電話番号が拒否電話番号では無いことが判明したために、現在の相手方から画データを受信すべきであることを表している。このときファクシミリ通信制御部２４は、次のステップＳＰ８へ移る。
【００５０】
ステップＳＰ８においてファクシミリ通信制御部２４は、電話回線３を介して送信されてくる画データを全て受信させ、次のステップＳＰ１１へ移る。具体的にファクシミリ通信制御部２４は、符号化及び変調された状態の画データをファクシミリ通信部１６により受信して復調し、さらに画像処理制御部２３により順次復号化して元の画データに復元し、これを記憶部１５に一時的に記憶させる。
【００５１】
一方、ステップＳＰ７において否定結果が得られると、このことは、ファクシミリ装置５の利用者が相手方からの受信を希望しているか否かが未確定であるものの、準備処理が完了しているために画データの受信処理を開始しなければならないことを表している。このときファクシミリ通信制御部２４は、次のステップＳＰ９へ移る。
【００５２】
ステップＳＰ９においてファクシミリ通信制御部２４は、画データの受信処理を開始し、これと並行して照合処理を継続した上で完了してから、次のステップＳＰ１０へ移る。ここで照合処理の完了とは、相手電話番号がいずれかの拒否電話番号と一致し、未照合の拒否電話番号があったとしても照合処理を終了したこと、或いは相手電話番号が何れの拒否電話番号とも一致しないまま、拒否リストＬＲ１に登録された全ての拒否電話番号との照合処理を終了したことを意味する。
【００５３】
ステップＳＰ１０においてファクシミリ通信制御部２４は、相手電話番号が拒否リストＬＲ１に登録されていたか否かを判定する。ここで否定結果が得られると、このことはファクシミリ装置５の利用者が少なくとも相手方からの受信を拒否してはいないことを表しており、このときファクシミリ通信制御部２４は、次のステップＳＰ１１へ移る。
【００５４】
ステップＳＰ１１においてファクシミリ通信制御部２４は、ジョブ制御部２５により画像形成部１７が使用されていないことを確認した上で、プリント制御部２６に対し画データの印刷処理を指示し、次のステップＳＰ１４へ移る。これに応じてプリント制御部２６は、記憶部１５に一時的に記憶されている画データを読み出し、画像形成部１７を制御することにより該画データに基づいた画像を紙媒体に印刷させる。
【００５５】
一方、ステップＳＰ１０において肯定結果が得られると、このことは本来画データを受信すべきではないものの、画データの受信開始までに照合処理が間に合わず受信を開始してしまった状態にあり、ファクシミリ装置５の利用者にとってこの画データを印刷する必要が無いことを表している。このときファクシミリ通信制御部２４は、次のステップＳＰ１２へ移る。
【００５６】
ステップＳＰ１２においてファクシミリ通信制御部２４は、画データの受信処理を完了したか否かを判定する。ここで否定結果が得られると、ファクシミリ通信制御部２４はこのステップＳＰ１２を繰り返すことにより、画データの受信処理の完了を待ち受ける。一方、ステップＳＰ１２において肯定結果が得られると、ファクシミリ通信制御部２４は次のステップＳＰ１３へ移る。
【００５７】
ステップＳＰ１３においてファクシミリ通信制御部２４は、記憶部１５に一時的に記憶させている画データを消去し、印刷処理を行うこと無く次のステップＳＰ１４へ移る。ステップＳＰ１４においてファクシミリ通信制御部２４は、受信処理手順ＲＴ１を終了する。
【００５８】
このようにファクシミリ装置５は、受信処理において拒否リストＬＲ１（図３）を参照し、相手電話番号が拒否電話番号であることが画データの受信開始前に判明すれば画データの受信前に回線を切断し、画データの受信開始後に判明すれば印刷を行わないようになっている。
【００５９】
［１−５．動作及び効果］
以上の構成において、第１の実施の形態によるファクシミリ通信システム１では、ファクシミリ装置５の受信処理において、画データを受信する前の準備処理中に相手電話番号と拒否リストＬＲ１の電話番号との照合処理を行うようにした。そしてファクシミリ装置５は、この準備処理中に相手電話番号が拒否電話番号であることが判明した場合、回線接続を切断するようにした。
【００６０】
これによりファクシミリ装置５は、不要な画データを受信することによる電話回線３の無駄な占有を事前に回避することができ、必要な着信があったときに話中となって画データを受信できない危険性を大幅に低減することができる。
【００６１】
またファクシミリ装置５は、画データの受信開始前に相手電話番号と拒否リストＬＲ１の拒否電話番号との照合処理が完了せず、相手電話番号がいずれの拒否電話番号とも一致しなかった場合には、画データの受信中も当該照合処理を継続するようにした。
【００６２】
その後ファクシミリ装置５は、照合処理を完了した段階で、相手電話番号が拒否電話番号で無ければ、当該画データに基づいた画像を紙媒体に印刷し、拒否電話番号であれば、当該画データをそのまま消去するようにした。
【００６３】
これによりファクシミリ装置５は、不要な内容の画データを無駄に印刷することによる用紙の無駄な消費や電力の無駄な消費、或いは画像形成部１７の無駄な占有をいずれも回避することができる。
【００６４】
ここでファクシミリ装置５は、画データの受信処理を開始した後に相手電話番号が拒否電話番号であることが判明した場合、直ちに回線接続を切断して画データの受信を終了することも考えられる。
【００６５】
しかしながらこの場合、相手方のファクシミリ装置は、電話回線３や電話網２に一時的な問題が生じて回線接続が切断された可能性があると判断し、所定の待機時間（例えば３分間や５分間等）の経過後に再び送信を試みる、いわゆるリダイヤルを行う可能性が高い。このような場合、受信側のファクシミリ装置５では、却って電話回線３の占有時間が長くなってしまい、他のファクシミリ装置からの必要な画データを受信できない恐れが高まってしまう。
【００６６】
そこでファクシミリ装置５は、画データの受信処理を開始した後に相手電話番号が拒否電話番号であることが判明した場合、敢えて受信処理を継続して画データを全て受信することにより、複数回のリダイヤルが行われる場合よりも電話回線３の総合的な占有時間を短縮することができる。
【００６７】
以上の構成によれば、第１の実施の形態によるファクシミリ装置５は、相手方のファクシミリ装置からの受信処理において、画データを受信する前の準備処理中に相手電話番号と拒否リストＬＲ１の電話番号との照合処理を行い、画データの受信開始前に照合処理が完了しなかった場合に、画データの受信中も当該照合処理を継続し、画データの受信を完了したときに、相手電話番号が拒否リストＬＲ１に登録されていれば、当該画データをそのまま消去するようにした。これによりファクシミリ装置５は、画データの受信そのものを回避することはできないものの、不要な内容の画データを無駄に印刷することによる用紙の無駄な消費や電力の無駄な消費、或いは画像形成部１７の無駄な占有をいずれも回避することができる。
【００６８】
［２．第２の実施の形態］
第２の実施の形態においては、図１と対応する図５に示すように、第１の実施の形態によるファクシミリ通信システム１に代えて、ファクシミリ通信システム１０１が構築されている。
【００６９】
［２−１．ファクシミリ通信システム及びファクシミリ装置の構成］
このファクシミリ通信システム１０１は、ファクシミリ通信システム１と比較して、ファクシミリ装置５に代わるファクシミリ装置１０５に対し、ネットワーク１０６を介して情報処理装置１０７が接続されている点が相違するものの、他の点については同様に構成されている。
【００７０】
図２と対応する図６に示すように、ファクシミリ装置１０５は、第１の実施の形態によるファクシミリ装置５と比較して、制御部１０に代わる制御部１１０を有する点及びネットワーク通信部１１８を有する点において相違するものの、他の点については同様に構成されている。ただし記憶部１５には、第１の実施の形態のような拒否リストＬＲ１は記憶されていない。
【００７１】
ネットワーク通信部１１８は、例えばＩＥＥＥ(Institute of Electrical and Electronics Engineers)８０２．３ａｂ等の規格に準拠した通信プロトコルを利用して、ネットワーク１０６上の情報処理装置１０７との間で各種情報の送信処理及び受信処理を行う。
【００７２】
制御部１１０は、制御部１０と同様、図示しないＣＰＵを中心に構成されており、図示しないＲＯＭやフラッシュメモリ等から所定のプログラムを読み出して実行することにより、種々の処理を行うようになっている。
【００７３】
この制御部１１０は、第１の実施の形態による制御部１０と比較して、各種プログラムを実行することにより、ファクシミリ通信制御部２４に代わるファクシミリ通信制御部１２４を実現する点及びネットワーク通信制御部１２７を実現する点において相違するものの、他の点については同様に構成されている。
【００７４】
ファクシミリ通信制御部１２４は、ファクシミリ通信制御部２４と同様、ファクシミリ通信部１６を制御することにより、電話網２（図５）に電話回線３を介して接続されている他のファクシミリ装置５との間で通信する際の通信制御を行う。
【００７５】
ネットワーク通信制御部１２７は、ネットワーク通信部１１８を制御することにより、ネットワーク１０６上の情報処理装置１０７との間でＨＴＴＰ（Hyper Text Transfer Protocol）等の通信プロトコルにより通信処理を行う。
【００７６】
［２−２．情報処理装置の構成］
情報処理装置１０７は、一般的なサーバ装置と同様に構成されており、図７に示すように、制御部１３０により全体を統括制御する。制御部１３０は、ファクシミリ装置１０５の制御部１１０（図６）と同様、図示しないＣＰＵを中心に構成されており、図示しないＲＯＭやフラッシュメモリ等から所定のプログラムを読み出して実行することにより、種々の処理を行うようになっている。
【００７７】
この制御部１３０には、バス１３１を介して、記憶部１３２及び通信部１３３が接続されている。記憶部１３２は、ファクシミリ装置１０５の記憶部１５と同様、例えばハードディスクドライブでなり、各種プログラムや各種情報を記憶する。また記憶部１３２には、拒否リストＬＲ２が予め記憶されている。
【００７８】
図３と対応する図８に示すように、拒否リストＬＲ２は、第１の実施の形態における拒否リストＬＲ１と同様にファクシミリの受信を所望しない相手方の電話番号（すなわち拒否電話番号）及びその相手方の名称が格納されていることに加えて、その電話番号からの着信回数も格納し得るようになっている。また拒否リストＬＲ２における各電話番号は、着信回数が多いものほど上位に位置するよう、並べ替えられた状態で登録されている。
【００７９】
通信部１３３は、例えばＩＥＥＥ８０２．３ａｂ等の規格に準拠した通信プロトコルを利用して、ネットワーク１０６に接続されたファクシミリ装置１０５との間で各種情報の送信処理及び受信処理を行う。
【００８０】
一方、制御部１３０は、各種プログラムを実行することにより、ネットワーク通信制御部１４１及びリクエスト制御部１４２をそれぞれソフトウェア的に実現するようになっている。
【００８１】
ネットワーク通信制御部１４１は、通信部１３３を制御することにより、ネットワーク１０６上のファクシミリ装置１０５との間でＨＴＴＰ等の通信プロトコルにより通信処理を行う。リクエスト制御部１４２は、ファクシミリ装置１０５からのリクエスト（処理の要求）を受け付け、当該リクエストに応じた処理を実行した上で、その実行結果を当該ファクシミリ装置１０５へ受け渡す。
【００８２】
このように情報処理装置１０７は、記憶部１３２に拒否リストＬＲ２（図８）を記憶すると共に、ファクシミリ装置１０５からのリクエストに応じた処理を実行し得るようになっている。
【００８３】
［２−３．受信処理］
ところで第２の実施の形態によるファクシミリ装置１０５は、第１の実施の形態によるファクシミリ装置５と比較して、送信処理についてはほぼ同様の処理を行うものの、受信処理については一部異なり、情報処理装置１０７と連携するようになっている。
【００８４】
具体的にファクシミリ装置１０５は、受信処理を行う場合、まず相手方のファクシミリ装置５（図５）側の操作に基づき、電話網２を介して電話回線３に対し着呼が通知される。
【００８５】
これに応じてファクシミリ通信制御部１２４は、図４と一部対応する図９に示す受信処理手順ＲＴ２を開始してステップＳＰ２１へ移る。ファクシミリ通信制御部１２４は、ステップＳＰ２１及びＳＰ２２においてそれぞれステップＳＰ１及びＳＰ２（図４）と同様の処理を行うことにより、準備処理を開始すると共にＴＳＩ信号から相手方の電話番号を抽出して相手電話番号とし、次のステップＳＰ２３へ移る。
【００８６】
ステップＳＰ２３においてファクシミリ通信制御部１２４は、ネットワーク通信制御部１２７と連携することにより、ネットワーク１０６経由で照合処理のリクエスト及び相手電話番号を情報処理装置１０７へ送信し、次のステップＳＰ２４へ移る。
【００８７】
一方、情報処理装置１０７は、ファクシミリ装置１０５からのリクエストを受信すると、制御部１３０のリクエスト制御部１４２（図７）において、図１０に示す照合処理手順ＲＴ３を開始してステップＳＰ４１へ移る。
【００８８】
ステップＳＰ４１においてリクエスト制御部１４２は、ネットワーク通信制御部１４１と連携することにより、ネットワーク１０６経由で受信した相手電話番号を取得し、次のステップＳＰ４２へ移る。
【００８９】
ステップＳＰ４２においてリクエスト制御部１４２は、拒否リストＬＲ２（図８）に登録されている各電話番号と相手電話番号とを順次照合し、次のステップＳＰ４３へ移る。このときリクエスト制御部１４２は、拒否リストＬＲ２の先頭の（最上行の）電話番号から１件ずつ、順に相手電話番号との照合処理を進めていく。
【００９０】
ステップＳＰ４３においてリクエスト制御部１４２は、照合処理が完了したか否かを判定する。ここで照合処理の完了とは、第１の実施の形態と同様、相手電話番号がいずれかの拒否電話番号と一致して照合処理を終了したこと、或いは相手電話番号が何れの拒否電話番号とも一致しないまま、拒否リストＬＲ１に登録された全ての拒否電話番号との照合処理を終了したことを意味する。
【００９１】
リクエスト制御部１４２は、ステップＳＰ４３において否定結果が得られると、該ステップＳＰ４３を繰り返すことにより照合処理の完了を待ち受け、肯定結果が得られると、次のステップＳＰ４４へ移る。
【００９２】
ステップＳＰ４４においてリクエスト制御部１４２は、相手電話番号が拒否電話番号であったか否かを判定する。ここで否定結果が得られると、このことは相手電話番号が拒否リストＬＲ２に登録されておらず、ファクシミリ装置１０５により現在の相手方から画データを受信させるべきであることを表している。このときリクエスト制御部１４２は、次のステップＳＰ４５へ移る。
【００９３】
ステップＳＰ４５においてリクエスト制御部１４２は、ネットワーク通信制御部１４１と連携することにより、照合結果としての受入指示を通信部１３３からネットワーク１０６を介してファクシミリ装置１０５へ送出し、次のステップＳＰ４８へ移る。
【００９４】
一方、ステップＳＰ４４において肯定結果が得られると、このことはファクシミリ装置１０５の利用者が現在の相手方からの受信を希望していないことを表している。このときリクエスト制御部１４２は、次のステップＳＰ４６へ移る。ステップＳＰ４６においてリクエスト制御部１４２は、ネットワーク通信制御部１４１と連携することにより、照合結果としての拒否指示を通信部１３３からネットワーク１０６を介してファクシミリ装置１０５へ送出し、次のステップＳＰ４７へ移る。
【００９５】
ステップＳＰ４７においてリクエスト制御部１４２は、相手電話番号と一致した拒否電話番号に対応付けて拒否リストＬＲ２に登録されている着信回数を増加させて更新する。これと共にリクエスト制御部１４２は、相手電話番号と一致した拒否電話番号の並べ替え処理を行うことにより、拒否リストＬＲ２上において着信回数が多い順に拒否電話番号が並ぶように並び順を更新し、次のステップＳＰ４８へ移る。ステップＳＰ４８においてリクエスト制御部１４２は、照合処理手順ＲＴ３を終了する。
【００９６】
一方、ファクシミリ装置１０５のファクシミリ通信制御部１２４は、ステップＳＰ２４（図９）において、ステップＳＰ４（図４）と同様、ファクシミリ通信部１６における準備処理が完了したか否かを判定する。ここで否定結果が得られると、ファクシミリ通信制御部１２４はこのステップＳＰ２４を繰り返すことにより、ファクシミリ通信部１６における準備処理の完了を待ち受ける。
【００９７】
一方、ステップＳＰ２４において肯定結果が得られると、このことは準備処理が完了し、相手方からの画データの受信を開始すべき状態にあることを表しており、このときファクシミリ通信制御部１２４は次のステップＳＰ２５へ移る。
【００９８】
ステップＳＰ２５においてファクシミリ通信制御部１２４は、ネットワーク通信制御部１２７（図６）と連携することにより、情報処理装置１０７から照合結果、すなわち受入指示又は拒否指示のいずれかを受信したか否かを判定する。
【００９９】
ここで肯定結果が得られると、このことは画データの受信を開始する前に、情報処理装置１０７における照合処理が完了してその照合結果を得られたことにより、当該照合結果に基づいて画データを受信するか否かを決定し得ることを表している。このときファクシミリ通信制御部１２４は、次のステップＳＰ２６へ移る。
【０１００】
ステップＳＰ２６においてファクシミリ通信制御部１２４は、情報処理装置１０７から受信した照合結果が拒否指示であったか否か、すなわち相手電話番号が拒否電話番号であったか否かを判定する。ここで肯定結果が得られると、このことはファクシミリ装置５の利用者が現在の相手方からの受信を希望していないことを表している。このときファクシミリ通信制御部１２４は、次のステップＳＰ２７へ移る。
【０１０１】
ステップＳＰ２７においてファクシミリ通信制御部１２４は、ステップＳＰ６（図４）と同様、ファクシミリ通信部１６を制御することにより、電話回線３を通じて電話網２に対しＤＣＮ信号を送信して回線接続を切断させ、次のステップＳＰ３３へ移る。
【０１０２】
一方、ステップＳＰ２６において否定結果が得られると、このことは相手電話番号が拒否電話番号では無いことが判明したために、現在の相手方から画データを受信すべきであることを表している。このときファクシミリ通信制御部１２４は、次のステップＳＰ２８へ移る。
【０１０３】
ステップＳＰ２８においてファクシミリ通信制御部１２４は、ステップＳＰ８（図４）と同様、符号化及び変調された状態の画データを全て受信し、これに所定の復調処理及び復号化処理等を施した上で記憶部１５に一時的に記憶させて、次のステップＳＰ３１へ移る。
【０１０４】
一方、ステップＳＰ２５において否定結果が得られると、このことは画データの受信を開始する前に、情報処理装置１０７における照合処理若しくはその照合結果の受信が間に合わなかったため、該画データを受信しなければならないことを表している。このときファクシミリ通信制御部１２４は、次のステップＳＰ２９へ移る。
【０１０５】
ステップＳＰ２９においてファクシミリ通信制御部１２４は、ステップＳＰ２８と同様、符号化及び変調された状態の画データを全て受信し、これに所定の復調処理及び復号化処理等を施した上で記憶部１５に一時的に記憶させて、次のステップＳＰ３０へ移る。
【０１０６】
ステップＳＰ３０においてファクシミリ通信制御部１２４は、画データの受信中に情報処理装置１０７から拒否指示を受信したか否かを判定する。ここで否定結果が得られると、このことは相手電話番号が拒否電話番号では無く、ファクシミリ装置１０５の利用者に現在の相手方からのファクシミリの受信を拒否する意思がない旨が判明したことを表している。このときファクシミリ通信制御部１２４は、次のステップＳＰ３１へ移る。
【０１０７】
ステップＳＰ３１においてファクシミリ通信制御部１２４は、ステップＳＰ１１（図４）と同様、ジョブ制御部２５により画像形成部１７が使用されていないことを確認した上で、プリント制御部２６に対し画データの印刷処理を指示し、次のステップＳＰ１３へ移る。これに応じてプリント制御部２６は、記憶部１５に一時的に記憶されている画データを読み出し、画像形成部１７を制御することにより該画データに基づいた画像を紙媒体に印刷させる。
【０１０８】
一方、ステップＳＰ３０において肯定結果が得られると、このことは本来画データを受信すべきではないものの、画データの受信開始までに照合処理の完了若しくは照合結果の受信が間に合わずに受信してしまった状態にあり、ファクシミリ装置１０５の利用者にとってこの画データを印刷する必要が無いことを表している。このときファクシミリ通信制御部１２４は、次のステップＳＰ３２へ移る。
【０１０９】
ステップＳＰ３２においてファクシミリ通信制御部１２４は、ステップＳＰ１３（図４）と同様、画データの受信完了後に記憶部１５から当該画データを消去し、印刷処理を行うこと無く次のステップＳＰ３３へ移る。ステップＳＰ３３においてファクシミリ通信制御部１２４は、受信処理手順ＲＴ２を終了する。
【０１１０】
このようにファクシミリ装置１０５は、受信処理において、情報処理装置１０７により相手電話番号と拒否リストＬＲ２との照合処理を行わせ、その照合結果を取得したタイミングに応じて、画データを受信するか否か、及び受信した画データを印刷するか否かを切り替えるようになっている。
【０１１１】
［２−４．動作呼び効果］
以上の構成において、第２の実施の形態によるファクシミリ通信システム１０１では、ファクシミリ装置１０５の受信処理において、相手電話番号を情報処理装置１０７へ通知することにより、当該情報処理装置１０７において相手電話番号と拒否リストＬＲ２の拒否電話番号との照合処理を行わせるようにした。
【０１１２】
一般的に、情報処理装置１０７の制御部１３０は、ファクシミリ装置１０５の制御部１１０と比較して、処理能力が高く、同一の演算処理を短時間で完了することができる。又一般に、ネットワーク１０６を介した情報の通信処理は極めて高速に行われ、この通信処理による遅延はごく僅かである。
【０１１３】
このためファクシミリ通信システム１０１では、第１の実施の形態と比較して、ファクシミリ装置１０５において準備処理を完了する前に情報処理装置１０７から照合結果（照合処理の結果）を受信できる可能性を、格段に高めることができる。
【０１１４】
これによりファクシミリ通信システム１０１では、相手電話番号が拒否リストＬＲ２に登録されていた場合、すなわち拒否電話番号であった場合に、準備処理中に照合処理を完了できずに画データを仕方なく受信することにより電話回線３を無駄に占有してしまう可能性を、大幅に低減することができる。
【０１１５】
また情報処理装置１０７のリクエスト制御部１４２は、拒否リストＬＲ２に拒否電話番号と対応付けて格納している着信回数を随時更新すると共に、その着信回数の多い順となるよう拒否電話番号を並べ替えるようにした。
【０１１６】
これによりリクエスト制御部１４２は、ファクシミリ装置１０５に対する発呼の頻度が高い相手方の電話番号（拒否電話番号）について、照合処理において送信電話番号が一致することが判明するまでに要する時間を短縮できるので、該照合処理を短時間で完了する可能性、すなわち準備処理中に拒否電話番号であることを判明できる可能性を格段に高めることができる。
【０１１７】
さらにファクシミリ通信制御部１２４は、画データの受信開始前に照合結果を受信できなかった場合には、画データの受信中に当該照合結果を受信し、これが拒否指示であった場合には、受信した画データの内容を紙媒体に印刷すること無く消去するようにした。
【０１１８】
これによりファクシミリ通信制御部１２４は、第１の実施の形態と同様、不要な内容の画データを無駄に印刷することによる用紙の無駄な消費や電力の無駄な消費、或いは画像形成部１７の無駄な占有をいずれも回避することができる。
【０１１９】
さらにファクシミリ通信システム１０１では、ネットワーク１０６を介して複数のファクシミリ装置１０５を接続することにより、この複数のファクシミリ装置１０５によって拒否リストＬＲ２を互いに共有することもできる。
【０１２０】
以上の構成によれば、第２の実施の形態によるファクシミリ通信システム１０１のファクシミリ装置１０５は、受信処理において、相手電話番号を情報処理装置１０７へ送信して拒否リストＬＲ２の電話番号との照合処理を行わせ、準備処理中に拒否指示を受信した場合には回線を切断し、画データの受信中に拒否指示を受信した場合には当該画データを印刷せずに消去するようにした。これによりファクシミリ装置１０５は、処理能力の高い情報処理装置１０７により短時間で照合処理を完了することができるので、準備処理中に照合結果を取得できる可能性を高め、拒否リストＬＲ２に電話番号が登録されている相手方からの画データを受信する前に回線接続を切断して電話回線３の無駄な占有を極力回避することができる。
【０１２１】
［３．第３の実施の形態］
第３の実施の形態によるファクシミリ通信システム２０１（図１）は、第１の実施の形態によるファクシミリ通信システム１と比較して、ファクシミリ装置５に代わるファクシミリ装置２０５を有する点が相違するものの、他の点については同様に構成されている。
【０１２２】
ファクシミリ装置２０５（図２）は、第１の実施の形態によるファクシミリ装置５と比較して、制御部１０に代わる制御部２１０を有する点、及び記憶部１５に拒否リストＬＲ１に代わる拒否リストＬＲ３を記憶させている点において相違するものの、他の部分については同様に構成されている。
【０１２３】
制御部２１０は、制御部１０と同様、図示しないＣＰＵを中心に構成されており、図示しないＲＯＭやフラッシュメモリ等から所定のプログラムを読み出して実行することにより、種々の処理を行うようになっている。この制御部２１０は、制御部１０と比較して、各種プログラムを実行することによりファクシミリ通信制御部２４に代わるファクシミリ通信制御部２２４を実現する点において相違するものの、他の点については同様に構成されている。
【０１２４】
拒否リストＬＲ３は、図３と対応する図１１に示すように、拒否リストＬＲ１と同様にファクシミリの受信を所望しない相手先の電話番号及びその相手方の名称が格納されていることに加えて、各電話番号に対応付けて優先情報が格納されている。
【０１２５】
この優先情報は、各電話番号が優先的に照合処理を行うべきである優先電話番号であるか否かを表しており、記号「○」が格納されていれば優先電話番号であることを表し、記号「×」が格納されていれば優先電話番号でないことを表している。
【０１２６】
このようにファクシミリ装置２０５は、電話番号に対応付けて優先情報が格納された拒否リストＬＲ３を記憶部１５に記憶させている。
【０１２７】
［３−１．受信処理］
ところで第３の実施の形態によるファクシミリ装置２０５は、第１の実施の形態によるファクシミリ装置５と比較して、送信処理についてはほぼ同様の処理を行うものの、受信処理については図４と一部対応する図１２に示す受信処理手順ＲＴ４に従い、受信処理手順ＲＴ１（図４）と一部異なる処理を行うようになっている。
【０１２８】
具体的にファクシミリ装置２０５は、受信処理を行う場合、まず相手方のファクシミリ装置５（図２）側の操作に基づき、電話網２を介して電話回線３に対し着呼が通知される。
【０１２９】
これに応じて制御部２１０のファクシミリ通信制御部２２４は、受信処理手順ＲＴ４（図１２）を開始してステップＳＰ５１へ移る。ファクシミリ通信制御部２２４は、ステップＳＰ５１及びＳＰ５２においてそれぞれステップＳＰ１及びＳＰ２（図４）と同様の処理を行うことにより、準備処理を開始すると共にＴＳＩ信号から相手方の電話番号を抽出して相手電話番号とし、次のステップＳＰ５３へ移る。
【０１３０】
ステップＳＰ５３においてファクシミリ通信制御部２２４は、ファクシミリ通信部１６における準備処理と並行して、拒否リストＬＲ３（図３）に登録されている各電話番号と相手電話番号との照合処理を開始し、次のステップＳＰ５４へ移る。
【０１３１】
このときファクシミリ通信制御部２２４は、まず拒否リストＬＲ３に登録された拒否電話番号のうち優先電話番号、すなわち優先情報として記号「○」が登録されている電話番号を先頭（最上行）から順に１件ずつ選択し、１件ずつ照合処理を進めていく。続いてファクシミリ通信制御部２２４は、通常の拒否電話番号、すなわち優先情報として記号「×」が登録されている拒否電話番号を拒否リストＬＲ３の先頭（最上行）から順に１件ずつ選択し、照合処理を進めていく。
【０１３２】
その後ファクシミリ通信制御部２２４は、ステップＳＰ５４〜ＳＰ６１において、それぞれステップＳＰ４〜ＳＰ１１（図４）と同様の処理を行う。このなかでファクシミリ通信制御部２２４は、ステップＳＰ６０において肯定結果が得られた場合、すなわち本来画データを受信すべきではないものの、画データの受信開始までに照合処理が間に合わず受信を開始してしまった場合、次のステップＳＰ６２へ移る。
【０１３３】
ステップＳＰ６２においてファクシミリ通信制御部２２４は、画データの受信中に回線を切断し、次のステップＳＰ６３へ移る。
【０１３４】
ステップＳＰ６３においてファクシミリ通信制御部２２４は、拒否リストの優先情報を更新し、次のステップＳＰ６４へ移る。具体的にファクシミリ通信制御部２２４は、記憶部１５に記憶させている拒否リストＬＲ３（図１１）のうち、現在の相手電話番号と一致した拒否電話番号の優先情報を「○」に更新する。
【０１３５】
ステップＳＰ６４においてファクシミリ通信制御部２２４は、途中まで受信して記憶部１５に一時的に記憶させた画データを消去し、次のステップＳＰ６５へ移る。ステップＳＰ６５においてファクシミリ通信制御部２２４は、受信処理手順ＲＴ４を終了する。
【０１３６】
このようにファクシミリ装置２０５は、受信処理において、優先情報に基づいた順序で相手電話番号と拒否リストＬＲ３の各電話番号との照合処理を行い、画データの受信開始後に登録されていることが判明した場合に、直ちに回線を切断すると共に優先情報を更新するようになっている。
【０１３７】
因みに拒否リストＬＲ３の各電話番号に対応付けられた優先情報は、当該電話番号から最後に着信があったときから所定時間（例えば３０分間や２時間など）が経過した時点で、「○」から「×」に更新されるようになっている。
【０１３８】
［３−２．動作及び効果］
以上の構成において、第３の実施の形態によるファクシミリ通信システム２０１では、ファクシミリ装置２０５のファクシミリ通信制御部２２４による受信処理において、相手電話番号と拒否リストＬＲ３の電話番号との照合処理を行う際に、優先電話番号を優先して照合するようにした。
【０１３９】
ファクシミリ装置２０５では、拒否リストＬＲ３に登録された拒否電話番号の数が極めて多かった場合、当該拒否リストＬＲ３における登録順序が末尾付近の拒否電話番号について、先頭から順次照合した際に準備処理中に照合されない可能性がある。
【０１４０】
これに対しファクシミリ装置２０５は、優先情報が「○」となっている優先電話番号を、拒否リストＬＲ３における登録順序に拘わらず優先的に照合することができるので、送信されてくる可能性が高い拒否電話番号を優先電話番号としておくことで、準備処理中に照合できる可能性を格段に高めることができる。
【０１４１】
特にファクシミリ装置２０５は、それまでの着信回数に拘わらず、優先情報のみに基づいて照合順序を決定するため、第２の実施の形態とは異なり、着信する頻度が比較的低い相手方からリダイヤルされた場合にも、他の拒否電話番号よりも先に照合することができる。
【０１４２】
またファクシミリ装置２０５は、１回目の受信処理において、準備処理中に照合処理が間に合わずに画データの受信を開始した後であっても、相手電話番号が拒否電話番号であることが判明した時点で、画データを最後まで受信するのでは無く、敢えて受信中に直ちに回線を切断するようにした。
【０１４３】
この場合、送信側のファクシミリ装置では、３分間や５分間等の待機時間後に、リダイヤルにより再度送信処理を行う可能性が高い。すなわちファクシミリ装置２０５は、２回目の受信処理を開始する可能性が高い。
【０１４４】
この点においてファクシミリ装置２０５は、前回の受信処理において画データの受信中に相手電話番号が拒否電話番号であることが判明した段階で、当該相手電話番号と一致した電話番号の優先情報を「○」に更新して当該相手電話番号を優先電話番号としている。
【０１４５】
このためファクシミリ装置２０５は、この２回目以降の受信処理において、優先電話番号となっている拒否電話番号を優先的に相手電話番号と照合でき、画データの受信開始前に当該相手電話番号が拒否電話番号であることを高い確度で検出できるので、ＤＣＮ信号の送信によって回線の接続を適切に切断できる。
【０１４６】
これによりファクシミリ装置２０５は、不要な画データを最後まで受信してリダイヤルを回避する場合と比較しても、総合的に見て電話回線３の無駄な占有時間を短縮することができるので、必要な着信があったときに話中となって画データを受信できない危険性を大幅に低減することができる。
【０１４７】
その他の点においても、ファクシミリ装置２０５は、第１の実施の形態によるファクシミリ装置５と同様の作用効果を奏し得る。
【０１４８】
以上の構成によれば、第３の実施の形態によるファクシミリ装置２０５は、受信処理において相手電話番号と拒否リストＬＲ３に登録された拒否電話番号との照合処理を順次行い、画データの受信開始後に相手電話番号が拒否電話番号であることが判明した場合に、直ちに回線接続を切断すると共に、拒否リストＬＲ３に当該拒否電話番号と対応付けて優先情報を登録するようにした。これによりファクシミリ装置２０５は、次回以降の受信処理において、優先情報が登録された拒否電話番号から優先的に照合処理を行うことで、画データの受信開始前に相手電話番号が拒否電話番号であることを検知できる可能性を高めることができ、結果的に、不要な内容の画データを無駄に印刷することによる用紙等の無駄を回避できると共に、リダイヤルも考慮した総合的な観点から、電話回線３の無駄な占有時間を短縮できる。
【０１４９】
［４．他の実施の形態］
なお上述した第１の実施の形態においては、ファクシミリ装置５の記憶部１５に拒否リストＬＲ１を記憶させ、制御部１０のファクシミリ通信制御部２４において受信処理手順ＲＴ１（図４）に従い照合処理を実行するようにした場合について述べた。
【０１５０】
しかしながら本発明はこれに限らず、例えば第２の実施の形態のように、ネットワーク１０６を介してファクシミリ装置５と情報処理装置１０７とを接続すると共に当該情報処理装置１０７に拒否リストＬＲ１を記憶させておき、ファクシミリ装置５から当該情報処理装置１０７へ相手電話番号及び照合処理のリクエストを送信して照合処理を行わせ、当該情報処理装置１０７から照合結果をファクシミリ装置５へ送信するようにしても良い。第３の実施の形態についても同様である。またこれと反対に、第２の実施の形態において、ファクシミリ装置１０５に拒否リストＬＲ２を記憶しておくと共に照合処理を実行するようにしても良い。
【０１５１】
また上述した第２の実施の形態においては、ネットワーク１０６を介して１台の情報処理装置１０７に対し１台のファクシミリ装置１０５を接続するようにした場合について述べた。
【０１５２】
しかしながら本発明はこれに限らず、ネットワーク１０６を介して１台の情報処理装置１０７に対し２台以上のファクシミリ装置１０５を接続するようにしても良い。この場合、情報処理装置１０７に記憶する拒否リストＬＲ２を複数のファクシミリ装置１０５で共有するようにしても良く、或いは、ファクシミリ装置１０５ごとに別個の拒否リストＬＲ２を用意し、他のファクシミリ装置１０５における拒否電話番号への着信状況を反映して当該拒否リストＬＲ２を更新するようにしても良い。
【０１５３】
さらに上述した第２の実施の形態においては、情報処理装置１０７に拒否リストＬＲ２（図８）を記憶させておき、ファクシミリ装置１０５からのリクエストに応じて当該情報処理装置１０７が照合処理を行い、その照合結果をファクシミリ装置１０５へ送信するようにした場合について述べた。
【０１５４】
しかしながら本発明はこれに限らず、例えば情報処理装置１０７に拒否リストＬＲ２を記憶させておき、ファクシミリ装置１０５からのリクエストに応じて拒否リストＬＲ２をファクシミリ装置１０５へ送信し、当該ファクシミリ装置１０５において照合処理を行うようにしても良い。この場合、例えば情報処理装置１０７の拒否リストＬＲ２に多数の拒否電話番号を登録しておき、ファクシミリ装置１０５が一時的に記憶できる数ずつ複数回に分けて、当該ファクシミリ装置１０５へ拒否リストＬＲ２を送信するようにしても良い。
【０１５５】
さらに上述した第２の実施の形態においては、拒否リストＬＲ２（図８）に着信回数を格納し、当該着信回数が多い順に拒否リストＬＲ２上の電話番号を並べ替えるようにした場合について述べた。
【０１５６】
しかしながら本発明はこれに限らず、例えば拒否リストＬＲ２に登録されている拒否電話番号から回線接続の要求がある度に、当該拒否電話番号を拒否リストＬＲ２の先頭へ移動させるよう並べ替える等、種々の手法により拒否リストＬＲ２上の電話番号を並べ替えるようにしても良い。また、拒否電話番号そのものを並べ替える以外にも、例えば拒否電話番号に対し登録順に固有の番号や記号を付し、この番号や記号を並べ替えるようにしても良く、要は拒否電話番号を照合すべき順序を特定することができれば良い。
【０１５７】
さらに上述した第３の実施の形態においては、画データの受信開始後に相手電話番号が拒否電話番号であることが判明した場合に、当該拒否電話番号を優先電話番号とするように優先情報を更新する場合について述べた。
【０１５８】
しかしながら本発明はこれに限らず、例えば利用者の操作等によって拒否リストＬＲ３に新たに拒否電話番号が登録された際に、当該拒否電話番号を優先電話番号とするように優先情報を更新する等、種々の条件により優先情報を更新するようにしても良い。
【０１５９】
さらに上述した第３の実施の形態においては、拒否電話番号について、相手方から最後に着信があったときから所定時間（例えば３０分間や２時間など）が経過した時点で、「○」から「×」に更新することにより、優先電話番号から拒否電話番号に戻すようにした場合について述べた。
【０１６０】
しかしながら本発明はこれに限らず、例えば着信があった後に所定回数（例えば２０回や３０回等）の他の電話番号からの着信があった時点など、着信があったときを始期として、種々の条件が満たされた時点で、段階で優先情報を「○」から「×」に更新することにより優先電話番号から拒否電話番号に戻すようにしても良い。
【０１６１】
さらに上述した第３の実施の形態においては、拒否リストＬＲ３（図１１）に対し各電話番号（すなわち拒否電話番号）に対応付けて優先情報を格納するようにした場合について述べた。
【０１６２】
しかしながら本発明はこれに限らず、例えば拒否リストＬＲ３とは別に優先電話番号を格納するための優先リストを記憶部１５に用意しておき、優先電話番号となった拒否電話番号を拒否リストＬＲ３から削除して当該優先リストに格納しておき、照合処理において当該優先リストに登録された拒否電話番号（すなわち優先電話番号）を優先して照合した後に拒否リストＬＲ３の電話番号を照合するようにしても良い。要は、優先電話番号を他の拒否電話番号よりも優先して照合することができれば良い。
【０１６３】
さらに上述した第１の実施の形態においては、ファクシミリ装置５の制御部１０が所定のプログラムを実行することにより、ファクシミリ通信制御部２４等をソフトウェア的に実現する場合について述べた。しかしながら本発明はこれに限らず、ファクシミリ通信制御部２４等をハードウェアのみにより、或いはハードウェアとソフトウェアとの組み合わせにより実現するようにしても良い。第２及び第３の実施の形態についても同様である。
【０１６４】
さらに上述した第１の実施の形態においては、公衆電話網等でなる電話網２及び電話回線３にファクシミリ装置５を接続するようにした場合について述べた。しかしながら本発明はこれに限らず、回線交換方式でなる他の種々の回線交換網に対し回線を介してファクシミリ装置５を接続するようにしても良い。第２及び第３の実施の形態についても同様である。
【０１６５】
さらに上述した第１の実施の形態においては、画データの受信開始後に相手電話番号が拒否電話番号であることが判明した場合に、当該画データの受信完了後に当該画データを消去するようにした場合について述べた。しかしながら本発明はこれに限らず、例えばファクシミリ装置５の表示部１３（図２）に画データの内容を画像として表示し、利用者に対し紙媒体に印刷するか、或いはそのまま消去するかを指示させて当該指示に応じて印刷又は消去するようにしても良い。第２の実施の形態についても同様である。
【０１６６】
さらに上述した第１の実施の形態においては、ＴＳＩ信号を基に相手電話番号を取得するようにした場合について述べた。しかしながら本発明はこれに限らず、例えば電話網２の機能により相手方の電話番号の通知（着信番号通知）を受けることができる場合に、この通知を基に相手電話番号を取得する等、種々の手法により相手電話番号を取得するようにしても良い。第２及び第３の実施の形態についても同様である。
【０１６７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１６８】
さらに上述した第１の実施の形態においては、回線通信部及び相手識別番号取得部としてのファクシミリ通信部１６と、記憶部としての記憶部１５と、媒体反映部としての画像形成部１７と、制御部としての制御部１０とによって画データ受信装置としてのファクシミリ装置５を構成する場合について述べた。しかしながら本発明はこれに限らず、その他種々の構成でなる回線通信部と、相手識別番号取得部と、記憶部と、媒体反映部と、制御部とによって画データ受信装置を構成するようにしても良い。
【０１６９】
さらに上述した第３の実施の形態においては、回線通信部及び相手識別番号取得部としてのファクシミリ通信部１６と、制御部としての制御部２１０とによって画データ受信装置としてのファクシミリ装置２０５を構成する場合について述べた。しかしながら本発明はこれに限らず、その他種々の構成でなる回線通信部と、相手識別番号取得部と、制御部とによって画データ受信装置を構成するようにしても良い。
【産業上の利用可能性】
【０１７０】
本発明は、回線交換網を介してファクシミリの通信方式に従い画データを受信する種々の装置でも利用できる。
【符号の説明】
【０１７１】
１、１０１、２０１……ファクシミリ通信システム、２……電話網、３……電話回線、５、１０５、２０５……ファクシミリ装置、１０、１１０、２１０……制御部、１５……記憶部、１６……ファクシミリ通信部、１７……画像形成部、２４、１２４、２２４……ファクシミリ通信制御部、２５……ジョブ制御部、２６……プリント制御部、１０６……ネットワーク、１０７……情報処理装置、１１８……ネットワーク通信部、１２４……ファクシミリ通信制御部、１２７……ネットワーク通信制御部、１３１……バス、１３２……記憶部、１３３……通信部、１４２……リクエスト制御部、ＬＲ１、ＬＲ２、ＬＲ３……拒否リスト。
【図１】
2015126263.tif 000003
【図２】
2015126263.tif 000004
【図３】
2015126263.tif 000005
【図４】
2015126263.tif 000006
【図５】
2015126263.tif 000007
【図６】
2015126263.tif 000008
【図７】
2015126263.tif 000009
【図８】
2015126263.tif 000010
【図９】
2015126263.tif 000011
【図１０】
2015126263.tif 000012
【図１１】
2015126263.tif 000013
【図１２】
2015126263.tif 000014